(57)【要約】      （修正有）【課題】容器本体に格納された鑑賞用石を、使用者に自然な形で見せることができ、鑑賞用石の高い意匠性を発揮させることができる水溶液用容器を提供する。【解決手段】芳香液入り容器１は、水溶液である芳香液２と、鑑賞用石とが格納され、横倒した状態で設置される容器本体４１とを備えている。容器本体４１の開口部４１１ａに設けられた蓋部４３は、容器本体４１のそれぞれの面を延長した形状に形成されている。また、蓋部４３は、不透明部材により形成されている。これにより、容器本体４１を横倒しして、容器本体４１に格納された鑑賞用石を拡げた状態としても、蓋部４３が、容器本体４１のそれぞれの面を延長した形状に形成されているため、使用者は、容器本体４１と蓋部４３とが一体的に見えることで、蓋部４３を意識せず、容器本体４１に格納された鑑賞用石を観察することができる。【選択図】図１
2016030627.tif 000002
【特許請求の範囲】
【請求項１】
水溶液と鑑賞用石とが格納され、横倒した状態で設置される容器本体を備え、
前記容器本体の開口部に設けられた蓋部は、前記容器本体のそれぞれの面を延長した形状に形成されている水溶液用容器。
【請求項２】
前記蓋部は、不透明部材により形成されている請求項１記載の水溶液用容器。
【請求項３】
前記容器本体から前記水溶液を取り出す取水管は、透明部材または半透明部材により形成されている請求項１または２記載の水溶液用容器。
【請求項４】
前記容器本体の正面には、前記容器本体の横倒しを促す文字が、前記容器本体を横倒しした状態のときに、正方向となる横書きに表記されている請求項１から３のいずれかの項に記載の水溶液用容器。
【発明の詳細な説明】
【技術分野】
【０００１】
本発明は、水溶液および鑑賞用石が水溶液用容器に格納された水溶液入り容器に関するものである。
【背景技術】
【０００２】
水溶液入り容器は、水溶液として、例えば、芳香剤や脱臭剤、消臭剤などが、水溶液用容器に格納され、玄関や居室に設置されることで、匂いを放散させたり、不快な臭みを取り除いたりして、雰囲気の環境を整えることができる。このような水溶液入り容器として、特許文献１に記載されたものが知られている。
特許文献１に記載の「芳香液入り芳香器」は、芳香液を収容する容器内と、芳香液に浸漬される吸液部材と、吸液部材を介して芳香液が供給され、芳香液を揮散させる揮散体とを備えたものである。この特許文献１に記載の「芳香液入り芳香器」は、揮散体の形状が動物や植物等の形状であると共に、芳香液を収容する容器内に、少なくとも天然石、人工石、ドライフラワー、スターフラワーより選択される１種を含んでいる。
【先行技術文献】
【特許文献】
【０００３】
【特許文献１】実用新案登録第３１６２８０３号公報
【発明の概要】
【発明が解決しようとする課題】
【０００４】
しかし、特許文献１に記載の「芳香液入り芳香器」では、芳香液を揮散させる揮散体が、動物、植物、宝石、キャラクター、乗り物、建物、スカル、食べ物などの形状に形成されているため、容器を立てた状態で設置するしかなく、せっかく、天然石や人工石が、容器内に収容されていても、容器が立てられた状態では、容器の底に寄せ集まるように溜まってしまう。そのため、特許文献１に記載の「芳香液入り芳香器」は、天然石や人工石の鑑賞用としては適さない。
【０００５】
そこで本発明は、容器本体に格納された鑑賞用石を、使用者に自然な形で見せることができ、鑑賞用石の高い意匠性を発揮させることができる水溶液用容器を提供することを目的とする。
【課題を解決するための手段】
【０００６】
本発明の水溶液用容器は、水溶液と鑑賞用石とが格納され、横倒した状態で設置される容器本体を備え、前記容器本体の開口部に設けられた蓋部は、前記容器本体のそれぞれの面を延長した形状に形成されていることを特徴とする。
【０００７】
本発明の水溶液用容器は、容器本体を横倒しして、容器本体に格納された鑑賞石を拡げた状態としても、容器本体の開口部に設けられた蓋部が、容器本体のそれぞれの面を延長した形状に形成されているため、使用者は、容器本体と蓋部とが一体的に見えることで、蓋部を意識せず、容器本体に格納された鑑賞石を観察することができる。
【０００８】
前記蓋部が、不透明部材により形成されていることにより、使用者には、蓋部の中が見えないため、蓋部を意識させることなく、使用者の観察を容器本体側に注視させることができる。
【０００９】
前記容器本体から前記水溶液を取り出す取水管は、透明部材または半透明部材により形成されていると、取水管が水溶液に浸っていても、取水管の色が目立たないため、鑑賞用石や蓋部、水溶液の色相に与える影響が小さい。
【００１０】
前記容器本体の正面には、前記容器本体の横倒しを促す文字が、前記容器本体を横倒しした状態のときに、正方向となる横書きに表記されているので、使用者に、容器本体を横倒しして設置することを促すことができる。
【発明の効果】
【００１１】
本発明は、使用者に対して、容器本体と蓋部とを一体的に見せることで、蓋部を意識せず、容器本体に格納された鑑賞石を観察させることができるので、容器本体に格納された鑑賞用石を、使用者に自然な形で見せることができ、鑑賞用石の高い意匠性を発揮させることができる。
【図面の簡単な説明】
【００１２】
【図１】本発明の実施の形態に係る芳香液入り容器を示す斜視図である。
【図２】図１に示す芳香液入り容器を横倒しした状態の斜視図である。
【発明を実施するための形態】
【００１３】
本発明の実施の形態に係る水溶液入り容器を芳香液入り容器を例に、図面に基づいて説明する。
図１に示す芳香液入り容器１は、水溶液としての芳香液２と、鑑賞用石３と、芳香液２および鑑賞用石３が格納される水溶液用容器４とを備えている。
【００１４】
芳香液２は、各種の芳香性を有する溶液を調合したものである。芳香液２には、緑茶乾留エキスを含有させて脱臭効果を付与させたり、グレープフルーツ種子抽出物を含有させて除菌効果を付与させたりしている。
【００１５】
鑑賞用石３は、天然石または人工石のいずれか一方、または両方としたものである。鑑賞用石３は、芳香液入り容器１の容器本体を横倒しした状態で、棚やテーブルに設置するときに、容器本体の設置面全体に鑑賞用石３を拡げても、鑑賞用石３が互いに重なり合わないように拡げることができる程度の量が、水溶液用容器４に格納されている。
【００１６】
鑑賞用石３は、例えば、緑系から青色のアパタイト（燐灰石）、ペリドット（橄欖石）、白色や青色、レモン色、紫色、ピンク色、赤色、紫色、透明のジルコニア、青色から青紫色のタンザナイト、シトリン（黄水晶）、青色から緑色のターコイズ（トルコ石）、エメラルド（緑玉）、ルビー（紅玉）、紫色のガーネット（柘榴石）ローズクォーツ（紅水晶）、アメジスト（紫水晶）などの組み合わせとすることができる。
【００１７】
鑑賞用石３は、ブリリアントカットやステップカット、ミックスカットなどのファセットカットとしたり、カポションカットとしたりすることができる。本実施の形態では、色付きジルコニアの他に、透明なジルコニアをカットした状態で混合させている。本実施の形態では、ジルコニアは、キュービックジルコニアとしている。
【００１８】
水溶液用容器４は、容器本体４１と、容器本体４１の開口部に設けられた噴霧器４２と、噴霧器４２に被せる蓋部４３とから構成されている。
【００１９】
容器本体４１は、プラスチック製の透明な容器である。容器本体４１は、鑑賞用石３の色相に応じて着色されたものが使用できる。容器本体４１は、略正方形状の底面４１ａの辺Ｌより高さＨが高い、細長の略直方体状に形成されている。
容器本体４１は、正面４１ｂ、背面４１ｃ，側面４１ｄ，４１ｅが、蓋部４３を上にして水溶液用容器４を直立させたときに、中央部４１ｆが、上下方向に沿って、外側に向かって膨らんだ湾曲した曲面に形成されている。
容器本体４１は、円筒形状の突起部４１１が略直方体状の上面から突出している。この突起部４１１の頭頂部が、容器本体４１の開口部４１１ａである。突起部４１１には、噴霧器４２が取り付けられている。
【００２０】
容器本体４１の正面４１ｂには、文字Ｃが容器本体４１を横倒しした状態のときに、正方向となる横書きに表記されている。本実施の形態では、文字Ｃは、水溶液用容器４の商品名称の文字列である（図１では、文字Ｃを「ＡＢＣＤＥＧＦ」としている）。
【００２１】
噴霧器４２は、噴霧するときに、押し釦式に押下される操作部４２１と、芳香液２を吸い上げる取水管４２２とから構成される。取水管４２２は、透明または半透明な樹脂製のチューブから形成されている。
蓋部４３は、容器本体４１の頭頂部に配置され、噴霧器４２と共に、突起部４１１の開口部に被せるオーバーキャップである。蓋部４３の天面４３ａは、容器本体４１の底面４１ａと同じ形状に形成されている。
蓋部４３は、容器本体４１のそれぞれの面（正面４１ｂ、背面４１ｃ，側面４１ｄ，４１ｅ）を延長した形状に形成されている。従って、蓋部４３の天面４３ａを除く各面（正面４３ｂ、背面４３ｃ，側面４３ｄ，４３ｅ）は、上下方向に沿って、外側に向かって膨らんだ湾曲した曲面に形成されている。蓋部４３は、不透明部材により形成されている。本実施の形態では、蓋部４３の表面が金属光沢を有している。
【００２２】
以上のように構成された本発明の実施の形態に係る芳香液入り容器１の使用状態を説明する。
図１に示す芳香液入り容器１は、容器本体４１の底面４１ａを下にして設置されている。この状態では、細長の略直方体状の容器本体４１の底に鑑賞用石３が溜まった状態である。
【００２３】
使用者は、鑑賞用石３が、容器本体４１の底に溜まった状態で鑑賞してもよいが、使用者は、容器本体４１の正面４１ｂに表記された文字Ｃを見て、文字Ｃが正方向に位置するように促されるので、図２に示すように、芳香液入り容器１の容器本体４１を横倒しして設置する。
容器本体４１の正面４１ｂに表記された文字Ｃが、容器本体４１を横倒ししたときに正方向を向く横書きであるため、容器本体４１を横倒しさせるように、使用者に対して促すことができる。
使用者は、容器本体４１の正面４１ｂが使用者に向くように、容器本体４１を設置すると、容器本体４１の側面４１ｅが底面となり、設置面となる。
【００２４】
使用者は、芳香液入り容器１を横倒しするときに、容器本体４１内の鑑賞用石３が重なり合わないように、芳香液入り容器１を振って拡げることができる。
鑑賞用石３は、容器本体４１の設置面（側面４１ｅ）全体に鑑賞用石３を拡げても、鑑賞用石３が互いに重なり合わないように拡げることができる程度の量が、容器本体４１に格納されているため、使用者は、鑑賞用石３の一個一個をじっくりと観察することができる。
【００２５】
このようにして、容器本体４１が横倒しされた状態で芳香液入り容器１が設置されると、容器本体４１の開口部４１１ａに設けられた蓋部４３が、容器本体４１のそれぞれの面（正面４１ｂ、背面４１ｃ，側面４１ｄ，４１ｅ）を延長した形状に形成されている。そのため、容器本体４１に格納された鑑賞用石３が、容器本体４１を横倒ししたときの底面（側面４１ｅ）に拡がった状態となっていても、使用者は、容器本体４１と蓋部４３とが一体的に見えることで、蓋部４３を意識せず、容器本体４１に格納された鑑賞用石３を観察することができる。従って、芳香液入り容器１は、容器本体４１に格納された鑑賞用石３を、使用者に自然な形で見せることができ、鑑賞用石３の高い意匠性を発揮させることができる
【００２６】
また、芳香液入り容器１は、蓋部４３が不透明部材により形成されている。例えば、蓋部４３が透明部材により形成されていると、使用者は、蓋部４３の中で噴霧器４２が視認でき、蓋部４３の輪郭も意識してしまう。そうなると、折角、蓋部４３が容器本体４１のそれぞれの面を延長した形状に形成されていても、スケルトン状態の蓋部４３が、容器本体４１内の鑑賞用石３を見ようとする使用者の気持ちを阻害する。蓋部４３が不透明部材により形成されているため、使用者には、蓋部４３の中に位置する噴霧器４２が見えないので、噴霧器４２および蓋部４３を意識させることなく、使用者の観察を容器本体４１側に注視させることができる。
【００２７】
容器本体４１から水溶液である芳香液２を取り出す取水管４２２が、透明部材または半透明部材により形成されているため、取水管４２２が芳香液２に浸っていても、取水管４２２の色が目立たない。従って、鑑賞用石３や蓋部４３、芳香液２の色相に与える影響が小さい。特に、取水管４２２が透明であれば、使用者は芳香液２の中での取水管４２２の存在に気が付か無いため、芳香液２の中の鑑賞用石３を取水管４２２に邪魔されることなく、自然に鑑賞することができる。
【００２８】
なお、本実施の形態では、水溶液として芳香液２を例に説明したが、水溶液は、脱臭剤、消臭剤、香水、香料でもよい。
【産業上の利用可能性】
【００２９】
本発明は、水溶液および鑑賞用石が水溶液用容器に格納された水溶液入り容器に好適である。
【符号の説明】
【００３０】
１  芳香液入り容器
２  芳香液
３  鑑賞用石
４  水溶液用容器
４１  容器本体
４１ａ  底面
４１ｂ  正面
４１ｃ  背面
４１ｄ，４１ｅ  側面
４１ｆ  中央部
４１１  突起部
４１１ａ  開口部
４２  噴霧器
４２１  操作部
４２２  取水管
４３  蓋部
４３ａ  天面
４３ｂ  正面
４３ｃ  背面
４３ｄ，４３ｅ  側面
Ｃ  文字
Ｈ  高さ
Ｌ  辺
【図１】
2016030627.tif 000003
【図２】
2016030627.tif 000004